(57)【要約】  【課題】  多様な色情報に関わる規格やデータ配置に柔軟に対応して画像データを種々の表示機器に表示させることができる画像表示制御装置を提供すること。  【解決手段】  画像を表示する表示出力ハードウエア２と、画像を表す画像データを出力する動画像出力ハードウエア５を制御するデバイス制御ソフトウエア６と、デバイス制御ソフトウエア６の指示に従って動画像出力ハードウエア５から出力された画像データを格納する共有メモリ３と、共有メモリ３によって格納された画像データを構成するデータ配置および色に関わる情報を表示出力ハードウエア２に対して表示可能な変換を行うデータ処理ソフトウエア７と、データ処理ソフトウエア７によって変換された画像データを表示出力ハードウエア２に表示するための制御を行うデバイス制御ソフトウエア８とを備えて構成する。【選択図】  図１
2006251689.tif 000002
【特許請求の範囲】
【請求項１】
画像を表示する表示機器と、
前記画像を表す画像データを出力する画像出力機器を制御する画像出力機器制御手段と、
前記画像出力機器制御手段の指示に従って前記画像出力機器から出力された画像データを格納する格納手段と、
前記格納手段によって格納された画像データを構成するデータ配置および色に関わる情報を前記表示機器に対して表示可能な変換を行う変換手段と、
前記変換手段によって変換された画像データを前記表示機器に表示するための制御を行う画像表示機器制御手段とを備えたことを特徴とする画像表示制御装置。
【請求項２】
前記変換手段は、前記画像出力機器から出力された画像データに基づいた画像を拡大または縮小して前記表示機器に表示させるように前記変換を行うことを特徴とする請求項１に記載の画像表示制御装置。
【請求項３】
前記変換手段は、前記画像出力機器から出力された画像データに基づいた画像を回転して前記表示機器に表示させるように前記変換を行うことを特徴とする請求項１または請求項２に記載の画像表示制御装置。
【請求項４】
前記変換手段は、前記画像出力機器から出力された画像データに基づいた画像を上下反転または左右反転して前記表示機器に表示させるように前記変換を行うことを特徴とする請求項１から請求項３までの何れかに記載の画像表示制御装置。
【請求項５】
前記変換手段は、前記画像出力機器から出力された画像データに基づいた画像を前記表示機器に表示するための位置座標を決定することを特徴とする請求項１から請求項４までの何れかに記載の画像表示制御装置。
【請求項６】
前記変換手段は、前記画像データを変換した後、変換した画像データを前記表示機器に表示するときの画像の周辺に固定色を表示するように変換後の画像データを調整することを特徴とする請求項１から請求項５までの何れかに記載の画像表示制御装置。
【請求項７】
前記画像出力機器を他の画像出力機器に換えた場合、前記変換手段は、前記格納手段によって格納された画像データを前記他の機器画像出力機器に対応して前記変換を行うことを特徴とする請求項１から請求項６までの何れかに記載の画像表示制御装置。
【請求項８】
前記画像出力機器が互いに異なる複数の画像出力機器である場合、前記変換手段は、前記格納手段によって格納された画像データをそれぞれの画像出力機器に対応して前記変換を行うことを特徴とする請求項１から請求項６までの何れかに記載の画像表示制御装置。
【請求項９】
前記表示機器を他の表示機器に換えた場合、前記変換手段は、前記画像データを構成するデータ配置および色に関わる情報を前記他の表示機器に対して表示可能な変換を行うことを特徴とする請求項１から請求項８までの何れかに記載の画像表示制御装置。
【請求項１０】
前記表示機器が互いに異なる複数の表示機器である場合、前記変換手段は、前記画像データを構成するデータ配置および色に関わる情報をそれぞれの表示機器に対して表示可能な変換を行うことを特徴とする請求項１から請求項８までの何れかに記載の画像表示制御装置。
【請求項１１】
前記画像表示制御装置は、携帯端末に適用されていることを特徴とする請求項１から請求項１０までの何れかに記載の画像表示制御装置。
【発明の詳細な説明】
【技術分野】
【０００１】
本発明は、画像出力機器から出力された画像データを表示機器に表示する画像表示制御装置に関する。
【背景技術】
【０００２】
従来の動画像表示制御装置としては、ＭＰＥＧに準拠したビットストリームを順次記憶するメモリと、メモリに記憶されているデータを伸張するＭＰＥＧデコーダ回路と、ＭＰＥＧデコーダ回路によって伸長されたデータをＹＵＶ形式からＲＧＢ形式に変換するＲＧＢ変換回路と、ＲＧＢ変換回路によって変換されたデータが書き込まれるＲＡＭとを備え、ＲＡＭに書き込まれたデータが一定周期で液晶パネルに表示されるものが知られている（例えば、特許文献１参照）。
【０００３】
また、この種の従来の動画像表示制御装置としては、ＭＰＥＧに準拠したデータを復号化処理してフレームデータに変換するＤＳＰ（Digital Signal Processor）と、ＤＳＰからのフレームデータを参照フレームデータとして格納する内蔵型の参照フレームメモリと、参照フレームメモリのフレームデータを参照してＤＳＰからのフレームデータに対して動き補償を行う動き補償部と、ＤＳＰからのフレームデータまたは動き補償部からのフレームデータに対して色素変換を行うＲＧＢ変換部と、ＲＧＢ変換部によって変換されたフレームデータを表示データとして記憶する表示メモリとを備え、表示メモリの表示データがＬＣＤに表示されるものも知られている（例えば、特許文献２参照）。
【特許文献１】特開２００２−１３２２３７号公報
【特許文献２】特開２００４−７５１５号公報
【発明の開示】
【発明が解決しようとする課題】
【０００４】
しかしながら、上述の従来の動画像表示制御装置では、ＲＧＢ変換回路等のデバイスによって予め決められたＲＧＢ等を表す色情報の変換が行われ、変換された色情報を所定の表示機器だけに表示しているため、昨今の携帯電話のように種々の表示機器が搭載される形態においては、多様な色情報に関わる規格に柔軟に対応して画像データを種々の表示機器に表示させることができず、画像を適切に変形して表示することができないという問題があった。また、携帯端末等に実装される表示機器や画像データを出力する画像出力機器がそれぞれ置き換わることもあり、これに対応する必要がある。また、携帯電話等に適用される画像表示制御装置には、多くの機種を開発可能とし、さらに開発コストの低減や開発の迅速化が求められている。
【０００５】
本発明は、上述した従来の問題を解決するためになされたもので、多様な色情報に関わる規格やデータ配置に柔軟に対応して画像データを種々の表示機器に表示させることができる画像表示制御装置を提供することを目的とする。
【課題を解決するための手段】
【０００６】
本発明の画像表示制御装置は、画像を表示する表示機器と、前記画像を表す画像データを出力する画像出力機器を制御する画像出力機器制御手段と、前記画像出力機器制御手段の指示に従って前記画像出力機器から出力された画像データを格納する格納手段と、前記格納手段によって格納された画像データを構成するデータ配置および色に関わる情報を前記表示機器に対して表示可能な変換を行う変換手段と、前記変換手段によって変換された画像データを前記表示機器に表示するための制御を行う画像表示機器制御手段とを備えた構成を有している。
【０００７】
この構成により、画像出力機器から出力された画像データを構成するデータ配置および色に関わる情報を表示機器に対して表示可能な変換を行い、変換された画像データを表示機器に表示するための制御を行うため、多様な色情報に関わる規格やデータ配置に柔軟に対応して種々の表示機器に表示させることができる。
【０００８】
本発明の画像表示制御装置における変換手段は、前記画像出力機器から出力された画像データに基づいた画像を拡大または縮小して前記表示機器に表示させるように前記変換を行う構成を有している。
【０００９】
この構成により、画像出力機器から出力された画像データに基づいた画像を拡大または縮小して表示機器に表示させるように変換を行うため、画像の拡大または縮小の表示形式に対応可能である。
【００１０】
本発明の画像表示制御装置における変換手段は、前記画像出力機器から出力された画像データに基づいた画像を回転して前記表示機器に表示させるように前記変換を行う構成を有している。
【００１１】
この構成により、画像出力機器から出力された画像データに基づいた画像を回転して表示機器に表示させるように変換を行うため、画像の回転の表示形式に対応可能である。
【００１２】
本発明の画像表示制御装置における変換手段は、前記画像出力機器から出力された画像データに基づいた画像を上下反転または左右反転して前記表示機器に表示させるように前記変換を行う構成を有している。
【００１３】
この構成により、画像出力機器から出力された画像データに基づいた画像を上下反転または左右反転して表示機器に表示させるように変換を行うため、画像の上下反転または左右反転の表示形式に対応可能である。
【００１４】
本発明の画像表示制御装置における変換手段は、前記画像出力機器から出力された画像データに基づいた画像を前記表示機器に表示するための位置座標を決定する構成を有している。
【００１５】
この構成により、画像出力機器から出力された画像データに基づいた画像を表示機器に表示するための位置座標を決定するため、画像に関わるアプリケーションソフトウエア等からの要求に応じてレイアウト微調整等を行うことができる。
【００１６】
本発明の画像表示制御装置における変換手段は、前記画像データを変換した後、変換した画像データを前記表示機器に表示するときの画像の周辺に固定色を表示するように変換後の画像データを調整する構成を有している。
【００１７】
この構成により、表示機器に表示するときの画像の周辺に固定色を表示するように変換後の画像データを調整するため、画面が表示機器の画面のアスペクト比に合わなくても、アスペクト比に合わせて正常に画像表示できる。
【００１８】
本発明の画像表示制御装置は、前記画像出力機器を他の画像出力機器に換えた場合、前記変換手段は、前記格納手段によって格納された画像データを前記他の機器画像出力機器に対応して前記変換を行う構成を有している。
【００１９】
この構成により、画像出力機器を他の画像出力機器に換えた場合、格納された画像データを他の機器画像出力機器に対応して変換を行うため、画像データを構成するデータ配置および色に関わる情報が画像出力機器と他の画像出力機器とで異なる場合でも対応することができる。
【００２０】
本発明の画像表示制御装置は、前記画像出力機器が互いに異なる複数の画像出力機器である場合、前記変換手段は、前記格納手段によって格納された画像データをそれぞれの画像出力機器に対応して前記変換を行う構成を有している。
【００２１】
この構成により、画像出力機器が互いに異なる複数の画像出力機器である場合、格納された画像データをそれぞれの画像出力機器に対応して変換を行うため、互いに異なる複数の画像出力機器が出力する動画像データを構成するデータ配置および色に関わる情報が異なる場合でも対応することができる。
【００２２】
本発明の画像表示制御装置は、前記表示機器を他の表示機器に換えた場合、前記変換手段は、前記画像データを構成するデータ配置および色に関わる情報を前記他の表示機器に対して表示可能な変換を行う構成を有している。
【００２３】
この構成により、表示機器を他の表示機器に換えた場合、画像データを構成するデータ配置および色に関わる情報を他の表示機器に対して表示可能な変換を行うため、動画像データを構成するデータ配置および色に関わる情報が表示機器と他の表示機器とで異なる場合でも対応することができる。
【００２４】
本発明の画像表示制御装置は、前記表示機器が互いに異なる複数の表示機器である場合、前記変換手段は、前記画像データを構成するデータ配置および色に関わる情報をそれぞれの表示機器に対して表示可能な変換を行う構成を有している。
【００２５】
この構成により、表示機器が互いに異なる複数の表示機器である場合、画像データを構成するデータ配置および色に関わる情報をそれぞれの表示機器に対して表示可能な変換を行うため、互いに異なる複数の表示機器が表示する画像データを構成するデータ配置および色に関わる情報がが異なる場合でも対応することができる。
【発明の効果】
【００２６】
以上のように本発明は、多様な色情報に関わる規格やデータ配置に柔軟に対応して画像データを種々の表示機器に表示させることができる画像表示制御装置を提供するものである。
【発明を実施するための最良の形態】
【００２７】
以下、本発明の実施の形態に係る画像表示制御装置について、図面を参照して説明する。
【００２８】
（第１の実施の形態）
図１は、本発明の第１の実施の形態に係る画像表示制御装置のブロック図である。図１に示したように、本発明の第１の実施の形態に係る画像表示制御装置は、動画像の表示に関わるソフトウエアを実行するＣＰＵ１と、動画像を表示する表示出力ハードウエア２と、動画像データＡ、Ｂをそれぞれ格納する共有メモリ３および共有メモリ４とによって構成されている。本発明の第１の実施の形態では、共有メモリ３および共有メモリ４の２つとしているが、１つのメモリとしてもよい。
【００２９】
また、本発明の第１の実施の形態に係る画像表示制御装置は、携帯端末等に実装され、
動画像データを出力する動画像出力ハードウエア５を制御するデバイス制御ソフトウエア６と、共有メモリ３によって格納された動画像データを表示出力ハードウエア２に対して表示可能な変換を行うデータ処理ソフトウエア７と、データ処理ソフトウエア７によって変換された画像データを表示出力ハードウエア２を介して表示装置９に表示するための制御を行うデバイス制御ソフトウエア８とを有している。
【００３０】
本発明における表示機器は、画像を表示する表示出力ハードウエア２および表示装置９によって構成される。なお、本発明においては、表示機器として表示出力ハードウエア２および表示装置９に換えて液晶ディスプレイを用いてもよい。本発明における画像出力機器は、画像を表す画像データを出力する動画像出力ハードウエア５によって構成される。なお、本発明においては、画像出力機器として動画像出力ハードウエア５に換えて、カメラまたはＭＰＥＧデコーダとして用いてもよく、さらに、ロジック設計して構成されたハードウエアやプログラマブルなＤＳＰ（Digital Signal Processor）を用いてもよく、さらに複数のＤＳＰを混載して用いてもよい。また、複数のＤＳＰを混載して用いる場合には、それぞれのＤＳＰ間の接続については問わない。
【００３１】
本発明における画像出力機器制御手段は、画像を表す画像データを出力する画像出力機器を制御するデバイス制御ソフトウエア６によって構成される。本発明においては、画像出力機器制御手段としてデバイス制御ソフトウエア６とは異なる他のものを用いてよく、画像データを出力する画像出力機器を制御するものであれば如何なるものを用いてよい。本発明における格納手段は、画像出力機器制御手段の指示に従って画像出力機器から出力された画像データを格納する共有メモリ３および共有メモリ４によって構成される。本発明においては、格納手段が共有メモリ３および共有メモリ４の２つに限定されず、１つでもよいし、複数でもよい。
【００３２】
本発明における変換手段は、画像データを構成するデータ配置および色に関わる情報を表示機器に対して表示可能な変換を行うデータ処理ソフトウエア７によって構成される。本発明においては、変換手段としてデータ処理ソフトウエア７とは異なる他のものを用いてよく、画像データを構成するデータ配置および色に関わる情報を表示機器に対して表示可能な変換を行うものであれば如何なるものを用いてよい。本発明における画像表示機器制御手段は、変換手段によって変換された画像データを表示機器に表示するための制御を行うデバイス制御ソフトウエア８によって構成される。本発明においては、画像表示機器制御手段としてデバイス制御ソフトウエア８とは異なる他のものに換えて用いてもよく、変換手段によって変換された画像データを表示機器に表示するための制御を行うものであれば如何なるものを用いてよい。
【００３３】
さらに、本発明の第１の実施の形態に係るデバイス制御ソフトウエア６、データ処理ソフトウエア７、およびデバイス制御ソフトウエア８については、ＣＰＵ１によって実行されるプログラムとして説明する。
【００３４】
以上のように構成された本発明の第１の実施の形態に係る画像表示制御装置の動作について以下に説明する。図２は、本発明の第１の実施の形態に係る画像表示制御装置の動作について説明するためのフロー図である。なお、具体的に説明するため、図１に示した動画像出力ハードウエア５を図２ではカメラ５としている。
【００３５】
まず、デバイス制御ソフトウエア６の制御により、カメラ５は、被写体の動画像を撮像し、撮像した動画像を表す動画像データＡを共有メモリ３に格納する。より詳細には、動画像出力ハードウエア５を構成するＤＳＰが動画像データを共有メモリ３に格納してもよいし、また、ＤＭＡ（Direct Memory Access）を用いて共有メモリ３に格納してもよい。
【００３６】
次に、データ処理ソフトウエア７は、共有メモリ３によって格納された動画像データＡを構成するデータ配置および色に関わる情報を表示出力ハードウエア２に対して表示可能な変換を行う。以下、詳細に説明する。
【００３７】
例えば、動画像データを構成する構成情報（データ形式）としては、動画像の解像度、色情報に関する規格、色情報に関する規格がＹＵＶ形式であった場合のＹＵＶ各データのデータ配置、物理的なデータ配置であるエンディアン（Ｅｎｄｉａｎ）などがある。例えば、図２に示すように、共有メモリ３に格納した動画像データＡを構成する構成情報としては、解像度をＱＣＩＦ（１７６×１４４）、色情報に関する規格をＹＵＶ４２２形式、データ配置をＹＵＹＶ・Ｐｘ形式、物理的な配置であるエンディアンをビッグエンディアンとしている。
【００３８】
データ処理ソフトウエア７は、上述した構成情報を事前にデバイス制御ソフトウエア６から特定し、または、動画像データに付随した情報等から構成情報を特定する。なお、データ処理ソフトウエア７は、デバイス制御ソフトウエア６から構成情報を特定しなくてもよく、表示出力ハードウエア２に対して表示可能な変換を行うための表示指定情報に従って構成情報を特定してもよい。
【００３９】
また、表示指定情報は、例えば、ＣＰＵ１によって実行される他のソフトウエア（画像制御に係るプログラム等）から出力される。なお、表示指定情報には、データ処理ソフトウエア７が表示出力ハードウエア２に対して表示可能な変換を行う情報となる変換項目が含まれており、変換項目としては、解像度、色情報に関する規格、データ配置の他、動画像の回転を指定するための回転指定情報、表示出力ハードウエア２を介して表示装置９に表示するための位置座標を決定するための表示位置座標指定情報、動画像データの上下反転および左右反転を指定するための上下反転指定情報等である。データ処理ソフトウエア７は、特定した構成情報に基づいて変換項目を決定し、決定した変換項目に従って動画像データを変換する。
【００４０】
さらに、動画像データの拡大縮小に関する拡大縮小情報が表示指定情報に含まれていれば、データ処理ソフトウエア７は、拡大縮小情報に従ってカメラ５から出力された画像データに基づいた画像を拡大または縮小して表示出力ハードウエア２に表示させるように変換を行う。また、回転指定情報が表示指定情報に含まれていれば、データ処理ソフトウエア７は、回転指定情報に従ってカメラ５から出力された画像データに基づいた画像を回転して表示出力ハードウエア２に表示させるように変換を行う。また、表示位置座標指定情報が表示指定情報に含まれていれば、データ処理ソフトウエア７は、表示位置座標指定情報に従って表示出力ハードウエア２を介して表示装置９に表示するための位置座標を決定する。また、上下反転指定情報が表示指定情報に含まれていれば、データ処理ソフトウエア７は、上下反転指定情報に従ってカメラ５から出力された画像データに基づいた画像を上下反転または左右反転して表示出力ハードウエア２に表示させるように変換を行う。
【００４１】
図２では、例えば、データ処理ソフトウエア７が動画像データＡから変換した動画像データＢは、解像度をＱＣＩＦ（１７６×１４４）、色情報に関する規格をＲＧＢ５６５形式、エンディアンをリトルエンディアン、回転指定情報を０°、表示位置座標指定情報を特定の座標（Ｘ，Ｙ）、上下反転指定情報を指定なしとしている。なお、動画像データＢは、表示装置９に正常に出力可能である。
【００４２】
また、変換後の動画データが表示装置９の画面のアスペクト比に合わない状況がある。このような状況に対応するため、変換後の動画像以外の余分領域等に固定色を出力するための固定色出力情報が表示指定情報に含まれていれば、データ処理ソフトウエア７は、変換した動画像データに基づいた動画像の全面または変換後の動画像の周辺に固定色を表示するように、変換された動画像データを調整する。なお、動画像の周辺は、例えば、動画像を画面に出力する領域の以外の余分領域である。
【００４３】
次に、デバイス制御ソフトウエア８は、データ処理ソフトウエア７によって変換された動画像データＢを表示出力ハードウエア２を介して表示装置９に表示するための制御を行う。ここで、表示出力ハードウエア２は、表示装置９に動画像データＢを表示する。
【００４４】
以上説明したように、本発明の第１の実施の形態に係る画像表示制御装置は、画像データを構成するデータ配置および色に関わる情報を表示出力ハードウエア２に対して表示可能な変換を行い、変換された画像データを表示出力ハードウエア２を介して表示装置９に表示するための制御を行うため、多様な色情報に関わる規格やデータ配置に柔軟に対応して種々の表示機器に表示させることができる。
【００４５】
また、画像データの拡大または縮小や画像の回転、画像の上下反転の機能を有するため、様々な画像の表示形式に対応可能である。
【００４６】
また、表示機器に表示するための位置座標を決定する機能を有するため、表示機器に対して画像に関わるアプリケーションソフトウエア等から要求される表示指定情報に応じてレイアウト微調整等を行うことができる。
【００４７】
また、変換した動画像データを表示機器に表示するときの画像の周辺に固定色を表示するように変換後の画像データを調整するため、画面が表示機器の画面のアスペクト比に合わなくても、アスペクト比に合わせて正常に画像表示でき、また、固定色の出力の要求に応じて余分領域に固定色を表示できる。
【００４８】
これらの機能は、組み合わせて用いられてもよく、必要な機能のみ絞り込んで実装されてもよいし、携帯端末等の機種の要求仕様に合わせて実装されるものである。本発明の第１の実施の形態に係る画像表示制御装置が行う画像の変換処理は、ソフトウエアで対応できるため、多くの機種をもつ携帯端末等の開発が可能となり、さらに開発コストの低減や開発の迅速化が可能である。
【００４９】
（第２の実施の形態）
図３は、本発明の第２の実施の形態に係る画像表示制御装置のブロック図である。図３に示したように、本発明の第２の実施の形態に係る画像表示制御装置は、動画像の表示に関わるソフトウエアを実行するＣＰＵ１と、動画像を表示する表示出力ハードウエア２と、動画像データＡ、Ｂをそれぞれ格納する共有メモリ３および共有メモリ４とによって構成されている。
【００５０】
また、本発明の第２の実施の形態に係る画像表示制御装置は、携帯端末等に実装され、動画像データを出力するＭＰＥＧデコーダ１５を制御するデバイス制御ソフトウエア１６と、共有メモリ３によって格納された動画像データを表示出力ハードウエア２に対して表示可能な変換を行うデータ処理ソフトウエア１７と、データ処理ソフトウエア７によって変換された動画像データを表示出力ハードウエア２を介して表示装置９に表示するための制御を行うデバイス制御ソフトウエア８とを有している。
【００５１】
本発明における表示機器は、画像を表示する表示出力ハードウエア２および表示装置９によって構成される。なお、本発明においては、表示機器として表示出力ハードウエア２および表示装置９に換えて液晶ディスプレイを用いてもよい。本発明における画像出力機器は、画像を表す画像データを出力するＭＰＥＧデコーダ１５によって構成される。なお、本発明においては、画像出力機器としてＭＰＥＧデコーダ１５に換えて、カメラとして用いてもよい。
【００５２】
本発明における画像出力機器制御手段は、画像を表す画像データを出力する画像出力機器を制御するデバイス制御ソフトウエア１６によって構成される。本発明においては、画像出力機器制御手段としてデバイス制御ソフトウエア１６とは異なる他のものを用いてよく、画像データを出力する画像出力機器を制御するものであれば如何なるものを用いてよい。本発明における格納手段は、画像出力機器制御手段の指示に従って画像出力機器から出力された画像データを格納する共有メモリ３および共有メモリ４によって構成される。本発明においては、格納手段が共有メモリ３および共有メモリ４の２つに限定されず、１つでもよいし、複数でもよい。
【００５３】
本発明における変換手段は、画像データを構成するデータ配置および色に関わる情報を表示機器に対して表示可能な変換を行うデータ処理ソフトウエア１７によって構成される。本発明においては、変換手段としてデータ処理ソフトウエア１７とは異なる他のものを用いてよく、画像データを構成するデータ配置および色に関わる情報を表示機器に対して表示可能な変換を行うものであれば如何なるものを用いてよい。本発明における画像表示機器制御手段は、変換手段によって変換された画像データを表示機器に表示するための制御を行うデバイス制御ソフトウエア８によって構成される。本発明においては、画像表示機器制御手段としてデバイス制御ソフトウエア８とは異なる他のものに換えて用いてもよく、変換手段によって変換された画像データを表示機器に表示するための制御を行うものであれば如何なるものを用いてよい。
【００５４】
さらに、本発明の第２の実施の形態に係るデバイス制御ソフトウエア１６、データ処理ソフトウエア１７、およびデバイス制御ソフトウエア８については、ＣＰＵ１によって実行されるプログラムとして説明する。
【００５５】
なお、本発明の第２の実施の形態に係る画像表示制御装置を構成する構成要素のうち、本発明の第１の実施の形態に係る画像表示制御装置を構成する構成要素と同一の構成要素には同一の符号を付し、それぞれの説明を省略する。
【００５６】
以上のように構成された本発明の第２の実施の形態に係る画像表示制御装置の動作について以下に説明する。なお、データ処理ソフトウエア１７が処理する構成情報（データ形式）および変換項目としては、本発明の第１の実施の形態と同様である。
【００５７】
まず、デバイス制御ソフトウエア１６の制御により、ＭＰＥＧデコーダ１５は、動画像データＣを共有メモリ３に格納する。例えば、図３に示すように、共有メモリ３に格納した動画像データＣを構成する構成情報としては、解像度をＱＶＧＡ（３２０×２４０）、色情報に関する規格をＹＵＶ４２０形式、データ配置をＹＵＹ・Ｐｌ形式、物理的な配置であるエンディアンをビッグエンディアンとする。
【００５８】
次に、データ処理ソフトウエア１７は、共有メモリ３によって格納された動画像データＣを構成するデータ配置および色に関わる情報を表示出力ハードウエア２に対して表示可能な変換を行う。より詳細には、データ処理ソフトウエア１７は、構成情報を特定し、特定した構成情報に基づいて変換項目を決定し、決定した変換項目に従って動画像データを変換する。データ処理ソフトウエア７が動画像データＣから変換した動画像データＢは、本発明の第１の実施の形態に係る動画像データと同様である。
【００５９】
次に、デバイス制御ソフトウエア８は、データ処理ソフトウエア１７によって変換された動画像データＢを表示出力ハードウエア２を介して表示装置９に表示するための制御を行う。ここで、表示出力ハードウエア２は、表示装置９に動画像データＢを表示する。
【００６０】
なお、本発明の第２の実施の形態に係る画像表示制御装置は、デバイス制御ソフトウエア１６および本発明の第１の実施の形態で説明したデバイス制御ソフトウエア６を共に有してもよい。例えば、本発明の第１の実施の形態に係るカメラ５をＭＰＥＧデコーダ１５に換えて、デバイス制御ソフトウエア１６から指示されたとき、データ処理ソフトウエア１７は、ＭＰＥＧデコーダ１５が格納した動画像データＣを構成する構成情報をデバイス制御ソフトウエア１６から特定し、特定した構成情報に基づいて変換項目を決定し、決定した変換項目に従って動画像データを変換するようにしてもよい。
【００６１】
以上説明したように、本発明の第２の実施の形態に係る画像表示制御装置は、カメラ５からＭＰＥＧデコーダ１５に換えた場合、共有メモリ３によって格納された画像データをＭＰＥＧデコーダ１５に対応して変換を行うため、動画像データを構成するデータ配置および色に関わる情報が画像出力機器と他の画像出力機器とで異なる場合でも対応することができる。また、本発明の第２の実施の形態に係る画像表示制御装置が行う画像の変換処理は、ソフトウエアで対応できるため、多くの機種をもつ携帯端末等の開発が可能となり、さらに開発コストの低減や開発の迅速化が可能である。
【００６２】
（第３の実施の形態）
図４は、本発明の第３の実施の形態に係る画像表示制御装置のブロック図である。図４に示したように、本発明の第３の実施の形態に係る画像表示制御装置は、動画像の表示に関わるソフトウエアを実行するＣＰＵ１と、動画像を表示する表示出力ハードウエア２と、動画像データＡ、Ｃ、Ｂをそれぞれ格納する共有メモリ３ａ、共有メモリ３ｂ、および共有メモリ４とによって構成されている。
【００６３】
また、本発明の第３の実施の形態に係る画像表示制御装置は、携帯端末等に実装され、動画像データを出力するカメラ５を制御するデバイス制御ソフトウエア６と、動画像データを出力するＭＰＥＧデコーダ１５を制御するデバイス制御ソフトウエア１６と、共有メモリ３ａおよび共有メモリ３ｂそれぞれによって格納された動画像データを表示出力ハードウエア２に対して表示可能な変換を行うデータ処理ソフトウエア２７と、データ処理ソフトウエア２７によって変換された動画像データを表示出力ハードウエア２を介して表示装置９に表示するための制御を行うデバイス制御ソフトウエア８とを有している。
【００６４】
本発明における表示機器は、画像を表示する表示出力ハードウエア２および表示装置９によって構成される。なお、本発明においては、表示機器として表示出力ハードウエア２および表示装置９に換えて液晶ディスプレイを用いてもよい。本発明における互いに異なる複数の画像出力機器は、画像を表す画像データを出力するカメラ５、ＭＰＥＧデコーダ１５によって構成される。
【００６５】
本発明における画像出力機器制御手段は、画像を表す画像データを出力する画像出力機器を制御するデバイス制御ソフトウエア６およびデバイス制御ソフトウエア１６によって構成される。本発明における格納手段は、画像出力機器制御手段の指示に従って画像出力機器から出力された画像データを格納する共有メモリ３ａ、共有メモリ３ｂ、および共有メモリ４によって構成される。本発明においては、共有メモリ３ａ、共有メモリ３ｂ、および共有メモリ４の３つとしているが、共有メモリは如何なる個数で構成されてもよく、１つのメモリとしてもよいし、２つのメモリでもよい。
【００６６】
本発明における変換手段は、画像データを構成するデータ配置および色に関わる情報を表示機器に対して表示可能な変換を行うデータ処理ソフトウエア２７によって構成される。本発明においては、変換手段としてデータ処理ソフトウエア２７とは異なる他のものを用いてよく、画像データを構成するデータ配置および色に関わる情報を表示機器に対して表示可能な変換を行うものであれば如何なるものを用いてよい。本発明における画像表示機器制御手段は、変換手段によって変換された画像データを表示機器に表示するための制御を行うデバイス制御ソフトウエア８によって構成される。本発明においては、画像表示機器制御手段としてデバイス制御ソフトウエア８とは異なる他のものに換えて用いてもよく、変換手段によって変換された画像データを表示機器に表示するための制御を行うものであれば如何なるものを用いてよい。
【００６７】
さらに、本発明の第３の実施の形態に係るデバイス制御ソフトウエア６、デバイス制御ソフトウエア１６、データ処理ソフトウエア２７、およびデバイス制御ソフトウエア８については、ＣＰＵ１によって実行されるプログラムとして説明する。
【００６８】
なお、本発明の第３の実施の形態に係る画像表示制御装置を構成する構成要素のうち、本発明の第１および第２の実施の形態に係る画像表示制御装置を構成する構成要素と同一の構成要素には同一の符号を付し、それぞれの説明を省略する。また、カメラ５、ＭＰＥＧデコーダ１５をそれぞれ１つ図示しているが、１つに限定することはない。
【００６９】
また、データ処理ソフトウエア２７は、共有メモリ３ａに格納される動画像データを表示出力ハードウエア２に対して表示可能な変換を行う画像変換モジュール２７ａ、および、共有メモリ３ｂに格納される動画像データを表示出力ハードウエア２に対して表示可能な変換を行う画像変換モジュール２７ｂを有している。
【００７０】
以上のように構成された本発明の第３の実施の形態に係る画像表示制御装置の動作について以下に説明する。
【００７１】
まず、デバイス制御ソフトウエア６の制御により、カメラ５は、被写体の動画像を撮像し、撮像した動画像を表す動画像データＡを共有メモリ３ａに格納する。また、デバイス制御ソフトウエア１６の制御により、ＭＰＥＧデコーダ１５は、動画像データＣを共有メモリ３ｂに格納する。
【００７２】
次に、データ処理ソフトウエア２７は、例えば、共有メモリ３ａまたは共有メモリ３ｂに格納された動画像データと、表示出力ハードウエア２に対して表示可能な変換を行うための表示指定情報とに従って画像変換モジュールを選択する。なお、各画像変換モジュールが行う変換は、本発明の第１および第２の実施の形態で説明した表示指定情報に従うものとする。また、表示指定情報は、例えばＣＰＵ１によって実行される他のソフトウエアから出力される。
【００７３】
例えば、共有メモリ３ａに動画像データＡが格納されたとき、データ処理ソフトウエア２７は、表示出力ハードウエア２に対して表示可能な変換を行う画像変換モジュール２７ａを選択し、選択された画像変換モジュール２７ａは、格納された動画像データＡを動画像データＢに変換を行う。
【００７４】
また、共有メモリ３ｂに動画像データＣが格納されたとき、データ処理ソフトウエア２７は、表示出力ハードウエア２に対して表示可能な変換を行う画像変換モジュール２７ｂを選択し、選択された画像変換モジュール２７ｂは、格納された動画像データＣを動画像データＢに変換を行う。
【００７５】
次に、デバイス制御ソフトウエア８は、データ処理ソフトウエア２７によって変換された動画像データを表示出力ハードウエア２を介して表示装置９に表示するための制御を行う。ここで、表示出力ハードウエア２は、表示装置９に動画像データを表示する。
【００７６】
以上説明したように、本発明の第３の実施の形態に係る画像表示制御装置は、画像出力機器がカメラ５やＭＰＥＧデコーダ１５等の互いに異なる複数の画像出力機器である場合、共有メモリ３によって格納された画像データをそれぞれの画像出力機器に対応して変換を行うため、互いに異なる複数の画像出力機器が出力する動画像データを構成するデータ配置および色に関わる情報が異なる場合でも対応することができる。また、本発明の第３の実施の形態に係る画像表示制御装置が行う画像の変換処理は、ソフトウエアで対応できるため、多くの機種をもつ携帯端末等の開発が可能となり、さらに開発コストの低減や開発の迅速化が可能である。
【００７７】
（第４の実施の形態）
図５は、本発明の第４の実施の形態に係る画像表示制御装置のブロック図である。図５に示したように、本発明の第４の実施の形態に係る画像表示制御装置は、動画像の表示に関わるソフトウエアを実行するＣＰＵ１と、動画像を表示する表示出力ハードウエア２と、動画像データＣ、Ｄをそれぞれ格納する共有メモリ３および共有メモリ４とによって構成されている。
【００７８】
また、本発明の第４の実施の形態に係る画像表示制御装置は、携帯端末等に実装され、動画像データを出力するＭＰＥＧデコーダ１５を制御するデバイス制御ソフトウエア１６と、共有メモリ３によって格納された動画像データを表示出力ハードウエア２に対して表示可能な変換を行うデータ処理ソフトウエア３７と、データ処理ソフトウエア７によって変換された動画像データを表示出力ハードウエア３２を介して表示装置３９に表示するための制御を行うデバイス制御ソフトウエア３８とを有している。
【００７９】
本発明における表示機器は、画像を表示する表示出力ハードウエア３２および表示装置３９によって構成される。なお、本発明においては、表示機器として表示出力ハードウエア３２および表示装置３９に換えて液晶ディスプレイを用いてもよい。本発明における画像出力機器は、画像を表す画像データを出力するＭＰＥＧデコーダ１５によって構成される。なお、本発明においては、画像出力機器としてＭＰＥＧデコーダ１５に換えて、カメラとして用いてもよい。
【００８０】
本発明における画像出力機器制御手段は、画像を表す画像データを出力する画像出力機器を制御するデバイス制御ソフトウエア１６によって構成される。本発明においては、画像出力機器制御手段としてデバイス制御ソフトウエア１６とは異なる他のものを用いてよく、画像データを出力する画像出力機器を制御するものであれば如何なるものを用いてよい。本発明における格納手段は、画像出力機器制御手段の指示に従って画像出力機器から出力された画像データを格納する共有メモリ３および共有メモリ４によって構成される。本発明においては、格納手段が共有メモリ３および共有メモリ４の２つに限定されず、１つでもよいし、複数でもよい。
【００８１】
本発明における変換手段は、画像データを構成するデータ配置および色に関わる情報を表示機器に対して表示可能な変換を行うデータ処理ソフトウエア３７によって構成される。本発明においては、変換手段としてデータ処理ソフトウエア３７とは異なる他のものを用いてよく、画像データを構成するデータ配置および色に関わる情報を表示機器に対して表示可能な変換を行うものであれば如何なるものを用いてよい。本発明における画像表示機器制御手段は、変換手段によって変換された画像データを表示機器に表示するための制御を行うデバイス制御ソフトウエア３８によって構成される。本発明においては、画像表示機器制御手段としてデバイス制御ソフトウエア３８とは異なる他のものに換えて用いてもよく、変換手段によって変換された画像データを表示機器に表示するための制御を行うものであれば如何なるものを用いてよい。
【００８２】
さらに、本発明の第４の実施の形態に係るデバイス制御ソフトウエア１６、データ処理ソフトウエア３７、およびデバイス制御ソフトウエア３８については、ＣＰＵ１によって実行されるプログラムとして説明する。
【００８３】
なお、本発明の第４の実施の形態に係る画像表示制御装置を構成する構成要素のうち、本発明の第２の実施の形態に係る画像表示制御装置を構成する構成要素と同一の構成要素には同一の符号を付し、それぞれの説明を省略する。また、表示装置３９は、例えば液晶画面等である。
【００８４】
以上のように構成された本発明の第４の実施の形態に係る画像表示制御装置の動作について以下に説明する。なお、データ処理ソフトウエア１７が処理する構成情報（データ形式）および変換項目としては、本発明の第２の実施の形態と同様である。
【００８５】
まず、デバイス制御ソフトウエア１６の制御により、ＭＰＥＧデコーダ１５は、動画像データＣを共有メモリ３に格納する。
【００８６】
次に、データ処理ソフトウエア３７は、共有メモリ３によって格納された動画像データＣを構成するデータ配置および色に関わる情報を表示出力ハードウエア３２に対して表示可能な変換を行う。より詳細には、データ処理ソフトウエア３７は、構成情報を特定し、特定した構成情報に基づいて変換項目を決定し、決定した変換項目に従って動画像データを変換する。
【００８７】
図５に示すように、データ処理ソフトウエア３７が動画像データＣから変換した動画像データＤは、例えば、解像度を９６×６４、色情報に関する規格をＲＧＢ４４４形式、エンディアンをリトルエンディアン、回転指定情報を０°、表示位置座標指定情報を（Ｘ，Ｙ）、上下反転指定情報を指定なしとする。なお、動画像データＤは、表示装置３９に正常に出力可能である。
【００８８】
次に、デバイス制御ソフトウエア３８は、データ処理ソフトウエア３７によって変換された動画像データを表示出力ハードウエア３２を介して表示装置３９に表示するための制御を行う。ここで、表示出力ハードウエア３２は、表示装置３９に動画像データを表示する。
【００８９】
なお、本発明の第４の実施の形態に係る画像表示制御装置は、デバイス制御ソフトウエア３８および本発明の第２の実施の形態で説明したデバイス制御ソフトウエア８を共に有してもよい。
【００９０】
例えば、本発明の第２の実施の形態に係る表示出力ハードウエア２を表示出力ハードウエア３２に換えたとき、データ処理ソフトウエア３７は、表示出力ハードウエア３２に対して表示可能な動画像データを変換し、デバイス制御ソフトウエア３８は、変換した動画像データを表示出力ハードウエア３２を介して表示装置３９に表示するための制御を行うようにしてもよい。
【００９１】
以上説明したように、本発明の第４の実施の形態に係る画像表示制御装置は、表示出力ハードウエア２から表示出力ハードウエア３２に換えた場合、画像データを構成するデータ配置および色に関わる情報を表示出力ハードウエア３２に対して表示可能な変換を行うため、動画像データを構成するデータ配置および色に関わる情報が表示機器と他の表示機器とで異なる場合でも対応することができる。また、本発明の第４の実施の形態に係る画像表示制御装置は、ソフトウエアで対応できるため、多くの機種を開発可能とし、さらに開発コストの低減や開発の迅速化が可能である。
【００９２】
（第５の実施の形態）
図６は、本発明の第５の実施の形態に係る画像表示制御装置のブロック図である。図６に示したように、本発明の第５の実施の形態に係る画像表示制御装置は、動画像の表示に関わるソフトウエアを実行するＣＰＵ１と、動画像を表示する表示出力ハードウエア２および表示出力ハードウエア３２と、動画像データＡ、Ｃ、Ｂ、Ｄをそれぞれ格納する共有メモリ３ａ、共有メモリ３ｂ、共有メモリ４ａ、および共有メモリ４ｂとによって構成されている。
【００９３】
また、本発明の第５の実施の形態に係る画像表示制御装置は、携帯端末等に実装され、動画像データを出力するカメラ５を制御するデバイス制御ソフトウエア６と、動画像データを出力するＭＰＥＧデコーダ１５を制御するデバイス制御ソフトウエア１６と、共有メモリ３ａ、共有メモリ３ｂそれぞれによって格納された動画像データを表示出力ハードウエア２または表示出力ハードウエア３２に対して表示可能な変換を行うデータ処理ソフトウエア４７と、データ処理ソフトウエア４７によって変換された動画像データを表示出力ハードウエア２を介して表示装置９に表示するための制御を行うデバイス制御ソフトウエア８と、表示出力ハードウエア３２を介して表示装置３９に表示するための制御を行うデバイス制御ソフトウエア３８とを有している。
【００９４】
本発明における互いに異なる複数の表示機器は、画像を表示する表示出力ハードウエア２および表示装置９、並びに、表示出力ハードウエア３２および表示装置３９によって構成される。本発明における互いに異なる複数の画像出力機器は、画像を表す画像データを出力するカメラ５、ＭＰＥＧデコーダ１５によって構成される。
【００９５】
本発明における画像出力機器制御手段は、画像を表す画像データを出力する画像出力機器を制御するデバイス制御ソフトウエア６およびデバイス制御ソフトウエア１６によって構成される。本発明における格納手段は、画像出力機器制御手段の指示に従って画像出力機器から出力された画像データを格納する共有メモリ３ａ、共有メモリ３ｂ、共有メモリ４ａ、および共有メモリ４ｂによって構成される。本発明においては、共有メモリ３ａ、共有メモリ３ｂ、共有メモリ４ａ、および共有メモリ４ｂの４つとしているが、共有メモリは如何なる個数で構成されてもよく、１つのメモリとしてもよいし、２つのメモリでもよい。
【００９６】
本発明における変換手段は、画像データを構成するデータ配置および色に関わる情報を表示機器に対して表示可能な変換を行うデータ処理ソフトウエア４７によって構成される。本発明においては、変換手段としてデータ処理ソフトウエア４７とは異なる他のものを用いてよく、画像データを構成するデータ配置および色に関わる情報を表示機器に対して表示可能な変換を行うものであれば如何なるものを用いてよい。本発明における画像表示機器制御手段は、変換手段によって変換された画像データを表示機器に表示するための制御を行うデバイス制御ソフトウエア８およびデバイス制御ソフトウエア３８によって構成される。
【００９７】
さらに、本発明の第５の実施の形態に係るデバイス制御ソフトウエア６、デバイス制御ソフトウエア１６、データ処理ソフトウエア４７、デバイス制御ソフトウエア８、およびデバイス制御ソフトウエア３８については、ＣＰＵ１によって実行されるプログラムとして説明する。
【００９８】
なお、本発明の第５の実施の形態に係る画像表示制御装置を構成する構成要素のうち、本発明の第３および第４の実施の形態に係る画像表示制御装置を構成する構成要素と同一の構成要素には同一の符号を付し、それぞれの説明を省略する。また、カメラ５、ＭＰＥＧデコーダ１５をそれぞれ１つ図示しているが、１つに限定することはない。
【００９９】
さらに、携帯端末では、正面液晶画面および背面液晶画面等の２種類の表示装置が併用されることもあり、本発明の第５の実施の形態に係る画像表示制御装置は、このような携帯端末の表示装置に動画を表示することも可能である。
【０１００】
また、データ処理ソフトウエア４７は、共有メモリ３ａに格納される動画像データを表示出力ハードウエア２に対して表示可能な変換を行う画像変換モジュール２７ａと、共有メモリ３ｂに格納される動画像データを表示出力ハードウエア２に対して表示可能な変換を行う画像変換モジュール２７ｂと、共有メモリ３ａに格納される動画像データを表示出力ハードウエア３２に対して表示可能な変換を行う画像変換モジュール４７ａと、共有メモリ３ｂに格納される動画像データを表示出力ハードウエア３２に対して表示可能な変換を行う画像変換モジュール４７ｂとを有している。
【０１０１】
以上のように構成された本発明の第５の実施の形態に係る画像表示制御装置の動作について以下に説明する。
【０１０２】
まず、デバイス制御ソフトウエア６の制御により、カメラ５は、被写体の動画像を撮像し、撮像した動画像を表す動画像データＡを共有メモリ３ａに格納する。また、デバイス制御ソフトウエア１６の制御により、ＭＰＥＧデコーダ１５は、動画像データＣを共有メモリ３ｂに格納する。
【０１０３】
次に、データ処理ソフトウエア４７は、例えば、共有メモリ３ａまたは共有メモリ３ｂに格納された動画像データと、表示出力ハードウエア２および表示出力ハードウエア３２に対して表示可能な変換を行うための表示指定情報とに従って画像変換モジュールを選択する。なお、各画像変換モジュールが行う変換は、表示指定情報に従うものとする。
【０１０４】
表示指定情報は、所定の変換項目を決定するためのものであり、表示出力ハードウエア２および表示出力ハードウエア３２のうち少なくとも１つを示す情報を含む。また、表示指定情報は、例えばＣＰＵ１によって実行される他のソフトウエアから出力される。
【０１０５】
例えば、共有メモリ３ａに動画像データＡが格納され、表示指定情報が表示出力ハードウエア２を示していたとき、データ処理ソフトウエア４７は、表示出力ハードウエア２に対して表示可能な変換を行う画像変換モジュール２７ａを選択し、選択された画像変換モジュール２７ａは、格納された動画像データＡを動画像データＢに変換を行う。また、表示指定情報が表示出力ハードウエア３２を示していたとき、データ処理ソフトウエア４７は、表示出力ハードウエア３２に対して表示可能な変換を行う画像変換モジュール４７ａを選択し、選択された画像変換モジュール４７ａは、格納された動画像データＡを動画像データＤに変換を行う。
【０１０６】
また、共有メモリ３ｂに動画像データＣが格納され、表示指定情報が表示出力ハードウエア２を示していたとき、データ処理ソフトウエア４７は、表示出力ハードウエア２に対して表示可能な変換を行う画像変換モジュール２７ｂを選択し、選択された画像変換モジュール２７ｂは、格納された動画像データＣを動画像データＢに変換を行う。また、表示指定情報が表示出力ハードウエア３２を示していたとき、データ処理ソフトウエア４７は、表示出力ハードウエア３２に対して表示可能な変換を行う画像変換モジュール４７ｂを選択し、選択された画像変換モジュール４７ｂは、格納された動画像データＣを動画像データＤに変換を行う。
【０１０７】
次に、デバイス制御ソフトウエア８は、画像変換モジュール２７ａまたは画像変換モジュール２７ｂによって変換された動画像データを表示出力ハードウエア２を介して表示装置９に表示するための制御を行う。ここで、表示出力ハードウエア２は、表示装置９に動画像データを表示する。また、デバイス制御ソフトウエア３８は、画像変換モジュール４７ａまたは画像変換モジュール４７ｂによって変換された動画像データを表示出力ハードウエア３２を介して表示装置３９に表示するための制御を行う。ここで、表示出力ハードウエア２は、表示装置３９に動画像データを表示する。
【０１０８】
以上説明したように、本発明の第５の実施の形態に係る画像表示制御装置は、表示機器が表示出力ハードウエア２や表示出力ハードウエア３２等の互いに異なる複数の表示機器である場合、画像データを構成するデータ配置および色に関わる情報をそれぞれの表示機器に対して表示可能な変換を行うため、互いに異なる複数の表示機器が表示する画像データを構成するデータ配置および色に関わる情報が異なる場合でも対応することができる。
【０１０９】
また、複数の動画出力ハードウエアと、複数の表示画像出力ハードウエアの混在および組み合わせが可能な構成を有しており、このような構成は、携帯端末等の機種の要求仕様に合わせて実装されてもよく、また、要求仕様に必要な構成が絞り込んで実装されてもよい。また、本発明の第５の実施の形態に係る画像表示制御装置が行う画像の変換処理は、ソフトウエアで対応できるため、多くの機種をもつ携帯端末等の開発が可能となり、さらに開発コストの低減や開発の迅速化が可能である。
【産業上の利用可能性】
【０１１０】
以上のように、本発明は、多様な色情報に関わる規格やデータ配置に柔軟に対応して画像データを種々の表示機器に表示させることができるという効果を有し、画像出力機器から出力された画像データを動画ファイル再生表示、カメラプレビュー表示、レイアウト表示、またはＴＶ電話で表示する携帯端末等として有用である。
【図面の簡単な説明】
【０１１１】
【図１】本発明の第１の実施の形態に係る画像表示制御装置のブロック図
【図２】本発明の第１の実施の形態に係る画像表示制御装置の動作について説明するためのフロー図
【図３】本発明の第２の実施の形態に係る画像表示制御装置のブロック図
【図４】本発明の第３の実施の形態に係る画像表示制御装置のブロック図
【図５】本発明の第４の実施の形態に係る画像表示制御装置のブロック図
【図６】本発明の第５の実施の形態に係る画像表示制御装置のブロック図
【符号の説明】
【０１１２】
１  ＣＰＵ
２、３２  表示出力ハードウエア（表示機器）
３、４  共有メモリ（格納手段）
５  動画像出力ハードウエア、カメラ（画像出力機器）
６、１６  デバイス制御ソフトウエア（画像出力機器制御手段）
８、３８  デバイス制御ソフトウエア（画像表示機器制御手段）
７、１７、２７、３７、４７  データ処理ソフトウエア（変換手段）
９、３９  表示装置（表示機器）
１５  ＭＰＥＧデコーダ（画像出力機器）
【図１】
2006251689.tif 000003
【図２】
2006251689.tif 000004
【図３】
2006251689.tif 000005
【図４】
2006251689.tif 000006
【図５】
2006251689.tif 000007
【図６】
2006251689.tif 000008